【手続補正書】
【提出日】平成27年12月9日(2015.12.9)
【手続補正１】
【補正対象書類名】特許請求の範囲
【補正対象項目名】全文
【補正方法】変更
【補正の内容】
【特許請求の範囲】
【請求項１】
携帯可能な装置であって、
前記装置の第１面に備えられた、少なくとも第１の画像オブジェクトおよび第２の画像オブジェクトを表示できるタッチスクリーンと、
前記第１面とは異なる前記装置の第２面に備えられたタッチセンサーと、
前記第１の画像オブジェクトおよび前記第２の画像オブジェクトの前記タッチスクリーン上の位置を登録している登録手段と、
前記タッチスクリーンが前記第１の画像オブジェクトを表示していないが前記第２の画像オブジェクトを前記登録手段によって登録されている位置に表示している状況においてなされるユーザーの前記タッチセンサーへのタッチ操作にしたがって、前記第１の画像オブジェクトを、前記登録手段によって登録されている前記タッチスクリーン上の位置に表示する表示処理を実行する処理手段と、
ユーザーの前記タッチスクリーンへのタッチ操作にしたがって、前記タッチスクリーンに表示されている前記第１の画像オブジェクトを操作する操作手段と、
を有し、
前記表示処理の実行の前後において、前記登録手段によって登録されている前記第２の画像オブジェクトの前記位置は等しいことを特徴とする装置。
【請求項２】
前記第１の画像オブジェクトの前記位置と、前記第２の画像オブジェクトの前記位置とは異なることを特徴とする請求項１に記載の装置。
【請求項３】
前記表示処理の実行によって、前記第２の画像オブジェクトの少なくとも一部は、前記タッチスクリーンに表示されなくなることを特徴とする請求項１または２に記載の装置。
【請求項４】
前記表示処理の実行によって、前記第２の画像オブジェクトの少なくとも一部は、前記第１の画像オブジェクトに隠されることによって、前記タッチスクリーンに表示されなくなることを特徴とする請求項３に記載の装置。
【請求項５】
前記タッチスクリーンは、前記ユーザーのタッチ操作がなされる前記状況において、前記第２の画像オブジェクトと共に第３の画像オブジェクトを表示しており、
前記表示処理の実行の前に前記タッチスクリーンに表示されている前記第３の画像オブジェクトは、前記表示処理の実行の後も前記タッチスクリーンに表示されたままであることを特徴とする請求項３に記載の装置。
【請求項６】
前記第１の画像オブジェクトは、前記第２の画像オブジェクトの背面にあり、
前記処理手段は、前記タッチセンサーへのユーザーの前記タッチ操作にしたがって、前記第２の画像オブジェクトの背面の、前記タッチスクリーンに表示されていない前記第１の画像オブジェクトを、前記タッチスクリーンに表示するような前記表示処理を行うことを特徴とする請求項１乃至５の何れか１項に記載の装置。
【請求項７】
前記第１の画像オブジェクトは、前記第２の画像オブジェクトによって隠されていて、
前記処理手段は、前記タッチセンサーへのユーザーの前記タッチ操作にしたがって、前記第２の画像オブジェクトによって隠されている、前記タッチスクリーンに表示されていない前記第１の画像オブジェクトを、前記タッチスクリーンに表示するような前記表示処理を行うことを特徴とする請求項１乃至６の何れか１項に記載の装置。
【請求項８】
前記処理手段によって行われる前記表示処理は、前記第１の画像オブジェクトの属する階層を前記第２の画像オブジェクトの属する階層よりも上位にすることを特徴とする請求項１乃至６の何れか１項に記載の装置。
【請求項９】
前記操作手段は、前記表示処理によって前記タッチスクリーンに表示された前記第１の画像オブジェクトに対するタッチ操作にしたがって、当該第１の画像オブジェクトを操作することを特徴とする請求項１乃至８の何れか１項に記載の装置。
【請求項１０】
前記タッチスクリーンへのユーザーのタッチ操作は、タップ、ドラッグ、ピンチ、フリックの少なくとも１つであり、
前記操作手段は、前記タッチスクリーンへのユーザーのタッチ操作にしたがって、前記タッチスクリーンに表示されている画像オブジェクトに対するレイアウト処理を行うことを特徴とする請求項１乃至９の何れか１項に記載の装置。
【請求項１１】
携帯可能な装置であって、
前記装置の第１面に備えられた、少なくとも第１の画像オブジェクトおよび第２の画像オブジェクトを表示できるタッチスクリーンと、
前記第１面とは異なる前記装置の第２面に備えられたタッチセンサーと、
前記第１の画像オブジェクトおよび前記第２の画像オブジェクトの前記タッチスクリーン上の位置を登録する登録手段と、
前記タッチスクリーンが前記第１の画像オブジェクトを表示していないが前記第２の画像オブジェクトを前記登録手段によって登録されている位置に表示している状況においてなされる前記タッチセンサーへのユーザーのタッチ操作にしたがって、前記第１の画像オブジェクトの状態を、前記タッチスクリーンに表示されない状態から、前記登録手段によって登録されている前記タッチスクリーン上の位置に表示される状態に変更する処理を行う処理手段と、
前記タッチスクリーンへのユーザーのタッチ操作にしたがって、前記状態が変更された画像オブジェクトを操作する操作手段と、
を有し、
前記変更する処理の実行の前後において、前記登録手段によって登録されている前記第２の画像オブジェクトの前記位置は等しいことを特徴とする装置。
【請求項１２】
前記第１の画像オブジェクトの前記位置と、前記第２の画像オブジェクトの前記位置とは異なることを特徴とする請求項１１に記載の装置。
【請求項１３】
前記変更する処理は、前記第１の画像オブジェクトの属する階層を前記第２の画像オブジェクトの属する階層よりも上位にすることを特徴とする請求項１１または１２に記載の装置。
【請求項１４】
前記操作手段は、前記変更する処理によって前記タッチスクリーンに表示された前記第１の画像オブジェクトに対するタッチ操作にしたがって、当該第１の画像オブジェクトを操作することを特徴とする請求項１１乃至１３の何れか１項に記載の装置。
【請求項１５】
携帯可能な装置であって、
前記装置の第１面に備えられた、複数の画像オブジェクトを表示するタッチスクリーンと、
前記第１面とは異なる前記装置の第２面に備えられたタッチセンサーと、
前記複数の画像オブジェクトのうちから少なくとも１つの画像オブジェクトを選択するための前記タッチスクリーンへのユーザーのタッチ操作にしたがって、前記タッチスクリーンに表示されている前記少なくとも１つの画像オブジェクトを選択する選択手段と、
前記タッチスクリーンへのユーザーの前記タッチ操作が終わった後での前記タッチセンサーへのユーザーのタッチ操作にしたがって、前記選択された少なくとも１つの画像オブジェクトに対する所定の処理を実行する処理手段と、
を有することを特徴とする装置。
【請求項１６】
前記タッチスクリーンへのユーザーの前記タッチ操作が終わったとは、ユーザーが前記タッチスクリーンへの接触を終えたことであることを特徴とする請求項１５に記載の装置。
【請求項１７】
前記所定の処理とは、画像オブジェクトの階層を上げる処理であることを特徴とする請求項１５または１６に記載の装置。
【請求項１８】
前記第１面および前記第２面は、互いに背向していることを特徴とする請求項１乃至１７の何れか１項に記載の装置
【手続補正２】
【補正対象書類名】明細書
【補正対象項目名】０００６
【補正方法】変更
【補正の内容】
【０００６】
表面の画像を移動する事により、裏面に隠れた画像の選択は可能となるが、表面の画像のもともとの配置位置が変わってしまう。そのため、裏面に隠れていた画像に対して処理を行った後、移動してしまった表面の画像を元々あった位置に戻すなどのレイアウト処理を行う必要があり、ユーザの利便性を損なってしまう。
【手続補正３】
【補正対象書類名】明細書
【補正対象項目名】０００７
【補正方法】変更
【補正の内容】
【０００７】
本発明は上記従来例に鑑みてなされたもので、レイアウトを維持したまま所望の画像に対する操作を可能ならしめることを提供することを目的とする。
【手続補正４】
【補正対象書類名】明細書
【補正対象項目名】０００９
【補正方法】変更
【補正の内容】
【０００９】
携帯可能な装置であって、
前記装置の第１面に備えられた、少なくとも第１の画像オブジェクトおよび第２の画像オブジェクトを表示できるタッチスクリーンと、
前記第１面とは異なる前記装置の第２面に備えられたタッチセンサーと、
前記第１の画像オブジェクトおよび前記第２の画像オブジェクトの前記タッチスクリーン上の位置を登録している登録手段と、
前記タッチスクリーンが前記第１の画像オブジェクトを表示していないが前記第２の画像オブジェクトを前記登録手段によって登録されている位置に表示している状況においてなされるユーザーの前記タッチセンサーへのタッチ操作にしたがって、前記第１の画像オブジェクトを、前記登録手段によって登録されている前記タッチスクリーン上の位置に表示する表示処理を実行する処理手段と、
ユーザーの前記タッチスクリーンへのタッチ操作にしたがって、前記タッチスクリーンに表示されている前記第１の画像オブジェクトを操作する操作手段と、
を有し、
前記表示処理の実行の前後において、前記登録手段によって登録されている前記第２の画像オブジェクトの前記位置は等しいことを特徴とする装置。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
本発明によれば、レイアウトされた画像の位置を維持したまま、所望の画像に対する操作が可能となり、ユーザの利便性を向上する事ができる。
【手続補正１０】
【補正対象書類名】明細書
【補正対象項目名】発明の名称
【補正方法】変更
【補正の内容】
【発明の名称】携帯可能な装置